(57)【特許請求の範囲】
【請求項１】
回路保護アセンブリであり、
上側表面と下側表面に対して実質的に直角に配置された壁を有する装着ブロックと、
前記装着ブロックの周りに少なくとも部分的に配置された全体として一つのヒューズアセンブリであって、前記全体として一つのヒューズアセンブリは複数のヒューズを有し、前記複数のヒューズのそれぞれが、
前記ヒューズの第１の端子を形成するように前記装着ブロックの前記下側表面の下に配置されたバスプレートの部分と、
前記装着ブロックの前記上側表面に少なくとも部分的に配置された第２の端子と、
前記壁の近傍に配置され、前記第１の端子及び前記第２の端子と実質的に直角をなして接続するヒューズエレメントと、
により規定される、前記全体として一つのヒューズアセンブリと、
前記装着ブロック内に少なくとも部分的に配置されたポストアセンブリであって、前記ポストアセンブリからポストが延びている、前記ポストアセンブリと、
前記複数のヒューズの少なくとも１つの前記第１の端子の部分から延在するプラグコネクタと、
を備える回路保護アセンブリ。
【請求項２】
前記プラグコネクタは、第１の端子部分であり、前記複数のヒューズの前記少なくとも１つは、前記複数のヒューズの第１のヒューズであり、前記アセンブリは、前記複数のヒューズの第２のヒューズの前記第１の端子から延在する第２のプラグコネクタを備える、請求項１に記載の回路保護アセンブリ。
【請求項３】
電源に接続するために前記バスプレートから延在する接続セグメントを備える、請求項１に記載の回路保護アセンブリ。
【請求項４】
前記装着ブロックは、対応するヒューズエレメントの少なくとも部分が配置された前記壁において複数の凹部を有する、請求項１に記載の回路保護アセンブリ。
【請求項５】
前記ヒューズエレメントのそれぞれからの熱放射に対応するために、前記ヒュージズエレメントのそれぞれが、前記壁から離れた遠くに配置されている、請求項４に記載の回路保護アセンブリ。
【請求項６】
前記複数の凹部は、第１の複数の凹部であり、前記装着ブロックの前記上側表面に第２の複数の凹部をさらに備える前記アセンブリは、前記対応する第２の凹部の中に少なくとも部分的に配置される第１の端部を有する前記ポストのそれぞれを含む、請求項５に記載の回路保護アセンブリ。
【請求項７】
前記ヒューズの前記第１の端子から前記ヒューズの第２の端子へ延在するカバーをさらに備え、前記カバーは、前記ヒューズエレメントの上側に配置される、請求項１に記載の回路保護アセンブリ。
【請求項８】
前記装着ブロックは、前記ブロックの前記上側表面の長さの部分に延びる凹部を含み、前記凹部は、前記凹部内で少なくとも部分的に配置される前記複数のポストのそれぞれの第１の端部を受けるように構成される、請求項１に記載の回路保護アセンブリ。
【発明の詳細な説明】
【技術分野】
【０００１】
本発明の実施形態は、回路保護デバイスの分野に関する。より詳細には、本発明は、製造がより簡便で、ヒューズを備える内蔵型絶縁構成を提供するポスト（post）構成を採用するヒューズアセンブリに関する。
【背景技術】
【０００２】
ヒューズは、回路保護デバイスとして使用され、電源と保護すべき回路中の構成要素との間に電気接続を形成する。ヒューズは、特に、過電流状態によって引き起こされるダメージから保護するように構成され得る。ヒューズは、回路中で特定の過電圧状態および／または過電流状態が発生したときに、回路経路を物理的に開放し、または遮断し、ダメージから電気構成要素を守るように構築される。
【０００３】
一般に、車両中の電気システムは、これらの状態によって引き起こされるダメージから電気回路、機器および構成要素を保護するために、多数のこれらのタイプの回路保護デバイスを含む。たとえば、車両中の電源（たとえば、バッテリー）は、電気ケーブルの丸型端子が接続される端子ポストを挿入したヒューズを利用する。通常、丸型端子とヒューズとを所定の位置に保持するために、ナットがそのポストにねじ留めされている。過剰電流状態が存在するとき、端子ポスト上のヒューズは、電源に接続された構成要素をこの過剰電流から保護する。丸型端子が、ヒューズを介してではなく直接的にポストと電気接触すると、意図しないショートが生じる。この問題を克服するために、電流が、ヒューズをバイパスし、保護回路に損傷を与えないようにヒューズと丸型端子とを絶縁するために、ポストに取り付けた絶縁ナットが使用されてきた。
【０００４】
あるアプリケーションでは、複数のこれらのヒューズ構成と単一の電源を共有して、複数の回路に電力を分配することができる。たとえば、図１はヒューズアセンブリ１０の側面断面図であり、ヒューズ３０が装着されたハウジングまたはブロック２０が示され、ポスト２５がそこから延びている。丸型端子４０には、ポスト２５が挿入される。丸型端子４０は、保護すべき電気回路に電力を供給するために、電力ケーブル４１に接続される。丸型端子４０は、ヒューズ３０の上側端子と電気接触するが、ポスト２５から絶縁されるように構成される。この構成では、電力は、ヒューズ３０の下側端子に接続されたブロック２０中に設けられたバスバー４５に供給される。このようにして、ヒューズ３０は、バスバー４５を、ヒューズエレメント３５を介して丸型端子４０と接続する。過電流状態が生じると、ヒューズエレメント３５は、バスバー４５から丸型端子４０への電流の流れを開くか、またはそれを防止し、それにより、電気回路が保護される。ポスト２５は、典型的にはプラスチックで作製されたブロック２０内に成形される。残念ながら、ブロック２０中にポスト２５の一端を成形することによって、追加の製造ステップとそれに関連するコストが必要となる。したがって、製造がより容易であるポストまたは端子部分を含み、不要な短絡を防ぐための絶縁構成を提供するヒューズアセンブリを提供することが必要である。加えて、車載の電気システムの複雑さは増加しつつあり、その結果、その中に含まれる保護すべき電気回路の数は増加する。このことにより、ヒューズエレメントの必要性がますます高まる。しかし、貴重な車両空間および重量設置面積を節約するためにこのような保護回路を小型、軽量に保ち、交換容易とすることとは利益が相反する。本発明の改善が必要とされてきたことは、これらおよびその他の検討事項と関連している。
【発明の概要】
【０００５】
この概要は、後述の発明の詳細な説明でさらに記載された概念を簡略化された形で選択して提供するものである。この概要は、請求項に記載された発明の主題のキーとなる特徴または本質的な特徴を特定することを意図するものではなく、請求項に記載される発明の主題の範囲を判断する助けとなることを意図するものでもない。
【０００６】
本発明の例示的な実施形態は、電源と保護すべき回路との間に設けられる保護デバイスを対象とする。例示的な実施形態では、本回路保護アセンブリは、装着ブロックと、統一されたヒューズアセンブリと、ポストアセンブリと、プラグコネクタとを備える。装着ブロックは、上側表面と下側表面とを含む。統一されたヒューズアセンブリは、装着ブロックのまわりに少なくとも部分的に設けられ、複数のヒューズを有し、その複数のヒューズのそれぞれは、前記ヒューズの第１の端子を形成するように前記装着ブロックの前記下側表面に配置されたバスプレートの部分と、前記装着ブロックの前記上側表面に少なくとも部分的に配置された第２の端子と、前記第１の端子と前記第２の端子とを接続するヒューズエレメントと、により規定される。ポストアセンブリは、前記装着ブロック内に少なくとも部分的に配置され、前記ブロックからポストが延びている。プラグコネクタは、前記複数のヒューズの少なくとも１つの前記第１の端子の部分から延在する。
【図面の簡単な説明】
【０００７】
【図１】一つのブロックと一体成形されたポストを採用する従来技術のヒューズアセンブリを示す図である。
【図２Ａ】本開示の一実施形態による例示的なヒューズアセンブリの分解斜視図である。
【図２Ｂ】本開示の一実施形態による図２Ａのヒューズアセンブリの底部斜視図である。
【図２Ｃ】図２Ａおよび図２Ｂに示したヒューズアセンブリの一部分の側断面図である。
【図３Ａ】本開示の一実施形態によるアセンブリにおいて利用されるヒューズの分解斜視図である。
【図３Ｂ】本開示の一実施形態によるアセンブリにおいて利用されるヒューズの上面図である。
【図４Ａ】本開示の代替実施形態によるアセンブリの様々な斜視図である。
【図４Ｂ】本開示の代替実施形態によるアセンブリの様々な斜視図である。
【図４Ｃ】本開示の代替実施形態によるアセンブリの様々な斜視図である。
【図４Ｄ】本開示の代替実施形態によるアセンブリの様々な斜視図である。
【図５】本開示の代替実施形態による例示的な実施形態の斜視図である。
【図６Ａ】本開示の代替実施形態による例示的な実施形態の斜視図である。
【図６Ｂ】本開示の代替実施形態による例示的な実施形態の斜視図である。
【図７】本開示による例示的な実施形態の分解斜視図である。
【図８Ａ】本開示による例示的な実施形態の斜視図である。
【図８Ｂ】本開示による図８Ａに示した例示的な実施形態の側面図である。
【図９Ａ】本開示による例示的な実施形態の分解斜視図である。
【図９Ｂ】本開示による例示的な実施形態の斜視図である。
【図９Ｃ】本開示による例示的な実施形態の斜視図である。
【発明を実施するための形態】
【０００８】
次に、本発明について、本発明の好適な実施形態が示された添付の図面を参照して、より十分に以下に説明する。ただし、本発明は、多くの異なる形態で実施でき、本明細書に記載される実施形態に限定されると解釈されるべきではない。そうではなく、これらの実施形態は、本開示が完璧かつ完全であり、本発明の範囲を当業者に十分に伝えるために提供される。図面において、同様の番号は、全体を通して同様の要素を指す。
【０００９】
図２Ａは、１つまたは複数のヒューズ１３０が装着されたハウジングまたはブロック１２０を含むヒューズアセンブリ１００の斜視図である。この図では、１つのヒューズ１３０が２つのポスト１５５および１２５とともに示され、ポスト１５５はバスプレート１３１に電力を供給し、ポスト１２５はヒューズ１３０を受ける。特に、第１のポスト１２５は、ブロック１２０の受容穴とバスプレート１３１の対応する穴とを貫通して設けられ得る。ヒューズ１３０は、ポスト１２５を受ける（図３Ｂに示すような）ほぼ中心のアパーチャを有するセラミック「ブロック」ヒューズとすることができる。絶縁体１２６は、ポスト１２５をヒューズ１３０から絶縁する。ケーブル１４１に接続された丸型端子１４０がポスト１２５に装着され、ヒューズと丸型端子を所定の位置に保持するために、ナット１４５がポストにねじ係合する。第２のポスト１５５は、ブロック１２０を貫通して延び、バスバー１３１と電気接触して電力を提供する。またポスト１５５はねじ留めされ、丸型端子１５０とナット１５５とを受ける。ケーブル１５１は、バスバー１３１を介してヒューズアセンブリに電力を分配するために、丸型端子１５０を介してポスト１５５に接続される。このようにして、丸型端子１５０から、バスプレート１３１に、ヒューズ１３０を介して丸型端子１４０に、そして保護すべき構成要素および／または回路への回路が形成される。したがって、電力は、１つのロケーション（たとえば、丸型端子１５０およびバスプレート１３１）においてアセンブリに供給され、それぞれのヒューズアセンブリ（たとえば、ヒューズ１３０）を介して回路に分配される。
【００１０】
図２Ｂはアセンブリ１００の底面図であり、ブロック１２０内のポスト１２５および１５５の保持構成が示されている。特に、ブロック１２０の底面は、各ポスト１２５、１５５のヘッドよりもわずかに大きなサイズを有する凹部を含み、その内部には、それぞれのポストがブロック１２０を貫通して所定の位置に固定されるように、これらのヘッドが設けられる。ポスト１２５および１５５は、ブロック１２０のそれぞれの凹部に圧力嵌合することができ、凹部は、各ポスト１２５、１５５のそれぞれのヘッドと同じ形状を有し、ポストの各々の本体部分はブロック１２０を通って延びる。このようにすると、ポストをブロック１２０と一体成形する必要がなく、それにより、製造コストおよび労働コストが低減される。
【００１１】
図２Ｃは、図２Ａおよび図２Ｂに示されたヒューズアセンブリの一部分を示す側断面図である。図を見ると分かるように、ポスト１２５のヘッド１２５ａは、ブロック１２０内に埋め込まれるが、その中には成形されない。別個の構成要素であり、ブロック１２０の一部としては成形されない絶縁体１２６は、バスバー１３１からポスト１２５を絶縁するために、ヘッド１２５ａからポスト１２５に沿って延び、ヒューズ１３０の下側端部に入る。ブロック１２０内にポスト１２５と絶縁体１２６とを成形しないことによって、製造コストが節約される。ヒュージブルエレメント（ヒュージブルエレメント）１３６は、バスバー１３１と電気接触する下側ヒューズ端子１３５’に接続される。通常の動作状態では、バスバー１３１と、下側ヒューズ端子１３５’と、ヒュージブルエレメント１３６と、上側ヒューズ端子１３５と、丸型端子１４０との間に電気接続が形成される。過電流イベントが生じると、ヒュージブルエレメント１３６は飛ばされるか、あるいはこの電気接続を破損する。
【００１２】
図３Ａは、ブロックヒューズ１３０の斜視図であり、図３Ｂはその上面図である。ヒューズ１３０は、たとえば、セラミック材料で作製され得るハウジング１３０’によって規定され、ポスト１２５を受ける、中心に設けられたアパーチャ１２７を有する。ヒューズ１３０は、バスバー１３１に電力を供給するための保護すべき回路への電気経路を提供するために、端子１３５を介して丸型端子１４０と電気接触するヒューズエレメント１３６を含む。また、ヒューズエレメント１３６は、保持を補助するために、ハウジング１３０’に向かって延びる保持フランジ１３７を含む。また、ヒューズ１３０は、周囲粒子からヒュージブルエレメント１３６を保護するだけでなく、過電流状態に起因してヒューズが飛んだときにアーク放電を阻止するように作用するカバー１８０を含む。このカバーは、カバーを所定の位置に保持するのに役立つヒューズ本体１３０’の溝１８５中に少なくとも部分的に設けられる。
【００１３】
図４Ａ〜図４Ｄは、本開示の代替実施形態によるアセンブリ２００の様々な斜視図である。図２〜図３に示した別個のヒューズ１３０の代わりに、この実施形態は、ヒューズ２３０１・・・２３０Ｎとブロック２２０とを統合して、統一されたアセンブリにする。特に、図４Ａはブロック２２０を示し、ブロック２２０は、ブロックの全長にわたって延びる（図４Ｄ参照）、ブロックの底部に設けられたバスバー２３１を含む。アセンブリ２００の第１の部分２２９は、電源ケーブルがポスト２２５１に接続されたときに電源への接続を規定する。バスバー２３１は、ブロック２２０の外側の周囲の電気接続（図示せず）を介して、ポスト２２５１に接続される。ブロック２２０の残りの部分は、ヒューズ２３０１・・・２３０Ｎを規定し、各ヒューズは、各ヒューズの第１の端子として作用するバスバー２３１を第２の端子２３５１・・・２３５Ｎに接続する別個のヒューズエレメント２３６１・・・２３６Ｎを有する。図示のように、ヒューズエレメント２３６１は、端子２３５１にバスバー２３１を電気接続してヒューズ２３０１を規定するために使用される。また、ヒューズ２３０１・・・２３０Ｎの各々は、それぞれのヒュージブルエレメント２３６１・・・２３６Ｎを覆うカバー２３７Ｎを含む。
【００１４】
図４Ｂには、丸型端子に接続するためにブロック２２０の凹部内にポストをどのように配置するかを示すために、ヒュージブルエレメントまたはバスバーなしに、ポスト２２５１・・・２２５Ｎとブロック２２０のみが示されている。特に、ブロック２２０は、ヒューズエレメント２３１１・・・２３６Ｎがそこに設けられる空の凹部２２８１・・・２２８Ｎとともに示される。各ポスト２２５１・・・２２５Ｎのヘッドはブロック２２０中に配置される。これにより、各ポストは、ブロック２２０から、各ヒューズのそれぞれの端子２３５１・・・２３５Ｎのみを通って延びることができるようになる。こうすることにより、各ポストは、端子２３５１・・・２３５Ｎのうちの対応する端子のみを貫通して突出し、バスバー２３１とは接触しないので、ポスト２２５１・・・２２５Ｎの各々を絶縁する必要がなくなる。さらに、絶縁体を１つも使用しないので、ヒューズがポスト２２５１・・・２２５Ｎに装着されたときに存在する圧縮力は、ポストとそれぞれのヒューズ端子との間の接触点に限定される。このようにして、各ポスト２２５Ｎは、対応するヒューズ２３０Ｎのそれぞれの端子２３５Ｎと直接的に接触する。このようにすると、絶縁体を使用する必要がなくなり、圧縮力はすべて、ヒューズ端子とそれぞれのポストとの間に直接的に加えられるので、ボルト留めジョイントの圧縮力に耐えることができる。以前の設計では、絶縁体ならびにブロック２２０を形成するために特殊プラスチックが必要であった。使用中の熱、ならびにヒューズをポストにボルト留めしたときに発生する圧縮力に耐えるために、これらのコストのかかる特殊プラスチックが選択された。対照的に、本開示のポスト２２５１・・・２２５Ｎは、ブロック２２０を貫通して延びないので、これにより、これらの圧縮力に耐えることができる、使用されるべきコストのかかる高温プラスチックまたはセラミックが不要になる。
【００１５】
図４Ｃはアセンブリの切欠き断面図であり、バスバー２３１の対応する部分によって規定された第１の端子と、ヒューズエレメント２３６Ｎによって接続された第２の端子２３５Ｎと、丸型端子への接続のための、第２の端子２３５Ｎ中のアパーチャを通って上向きに延びるポスト２２５Ｎとを有する特定のヒューズ２３０Ｎが示されている。また、各ヒューズは、図３Ｂに示されるような、ヒュージブルエレメント２３６Ｎを保護するカバー２８０Ｎを含む。
【００１６】
図５〜図７は本開示の代替実施形態によるアセンブリの様々な図であり、端子、ブロック、ポストおよびヒュージブルエレメントの異なる構成が含まれる。図５に、ブロック５２０を備えるアセンブリ５００を示し、対になった、または横に並んだポスト５２５１・・・５２５Ｎ構成は、ブロックヒューズ（たとえば、図３Ａに示した１３０）を受けるように適合されている。ブロック５２０は、たとえば、プラスチック製の統一された部品とすることができ、ブロック５２０の全長および全幅にわたって延びる、ブロックの底部に設けられたバスバー５３１を含む。アセンブリ５００のバスバー５３１の第１の部分５２９は、電源ケーブルが接続されたときに電源への接続を規定する。
【００１７】
ヒューズ５３０１・・・５３０Ｎは各々、各ヒューズの第１の端子として作用するバスバー５３１をヒューズの対応する第２の端子５３５１・・・５３５Ｎに接続する別個のヒューズエレメント５３６１・・・５３６Ｎを有する。たとえば、ヒューズエレメント５３６１は、バスバー５３１を端子５３５１に接続してヒューズ５３０１を規定するために使用される。ヒュージブルエレメントの各々は、ヒュージブルエレメントの各々の温度が使用中に上昇するので、ブロック５２０の壁５２０Ａから離して遠くに設けられ、ブロック５２０のプラスチック材料と接触するべきでない。
【００１８】
複数のポスト５２５１・・・５２５Ｎの各々は、溝状凹部５２７を介してブロック５２０中に配置される。これにより、各ポストは、ブロック５２０からそれぞれの第２の端子５３５１・・・５３５Ｎのみを通って延びることができるようになり、バスバー５３１には接触しない。前述の実施形態に関して述べたように、ブロック５２０全体を貫通して延びるわけではないので、これにより、端子がポストに接続されたときに圧縮力に耐えることが可能なブロックについて、コストのかかる高温プラスチックまたはセラミックを使用する必要性が不要になる。端子５３５１・・・５３５Ｎの各々とポストとの複数の組み合わせの間を離隔するために、端子５３５Ｎの各々の間にスペーサまたはガード５３４Ｎを設けることができる。
【００１９】
図６Ａ〜図６Ｂに、本開示によるアセンブリ６００の別の実施形態を示す。図６Ａはアセンブリ６００の頂部斜視図であり、図６Ｂは同じアセンブリ６００の分解斜視図である。アセンブリ６００は、第１のサブブロック６２０Ａと、第２のサブブロック６２０Ｂとによって規定されるブロック６２０を含む。本実施形態では、バスバー（たとえば、図５に示された５３１）は、第１のサブブロック６２０Ａの底部に配置された第１の部分６３１Ａと、第２のサブブロック６２０Ｂの底に配置された第２のサブ部分６３１Ｂとによって規定される。バスバー部分６２０Ａおよび６２０Ｂは、ヒューズ６３０１・・・６３０Ｎの各々の第１の端子によって規定され、第２の端子はそれぞれの部分６３５１・・・６３５Ｎによって規定される。ポスト６２５１・・・６２５Ｎの各々は、たとえば、図１および図２に示された例示的な丸型端子を受けるように規定される。
【００２０】
接続部分６２９は、アセンブリ６００の電源ケーブルを受ける。接続部分６２９は、たとえば、電源ケーブルの丸型端子を受けるように適合された第１の接続部分６２９Ａと、アパーチャ６２９Ｂ’を介して第２の接続部分６２９Ｂとによって規定される。第１の接続部分６２９Ａと第２の接続部分６２９Ｂとの間に、（図６Ｂにより明確に示されている）追加のヒュージブルエレメント６３６Ｎ＋１を設けることができ、ハウジング６２８内に設けることができる。
【００２１】
図６Ｂは、アセンブリ６００の分解図を示し、ヒューズ部分６３０１・・・６３０Ｎは、それぞれのバスバー部分６３１Ａおよび６３１Ｂと、ヒュージブルエレメント６３６１・・・６３６Ｎと、端子６３５１・・・６３５Ｎとによって規定された統一されたセクションとして示されている。これらの統一された部品は、それぞれのブロック部分６２０Ａおよび６２０Ｂの周囲に設けられ、ポスト６２５１・・・６２５Ｎは、アパーチャを貫通して上側端子６３５１・・・６３５Ｎの各々に突出している。第１のカバー６８０Ａおよび第２のカバー６８０Ｂは、それぞれのヒュージブルエレメント６３６１・・・６３６Ｎを覆うために使用される。サブブロック６２０Ａおよび６２０Ｂの各々の第１の側部は凹部６２１と凸部６２２とを有しており、それらは、２つのサブブロックを１つに嵌合させてブロック６２０を形成するように整列される。
【００２２】
図７は、本開示による代替アセンブリ７００の分解斜視図である。本実施形態では、ブロック７２０は統一された部品であり、全体として７３０Ａと示される統一されたヒューズアセンブリを受けるように構成される。統一されたアセンブリ７３０Ａは、バスバー７３１とヒューズ７３０１・・・７３０Ｎによって規定される。バスバー７３１はヒューズの各々の第１の端子を形成し、第２の端子７３５１・・・７３５Ｎは、それらの間に設けられたヒュージブルエレメント７３６１・・・７３６Ｎをそれぞれ介して第１の端子に電気接続される。
【００２３】
ブロック７２０は、第１のポストアセンブリ７９０Ａおよび第２のポストアセンブリ７９０Ｂの第１のポストブロック７２２Ａおよび第２のポストブロック７２２Ｂを受けるように構成された第１の凹部７２１Ａおよび第２の凹部７２１Ｂを含む（説明を簡単にするために、統一されたアセンブリ７３０Ａ内に設けられた７９０Ａが示され、統一されたアセンブリ７３０Ａの外部に７９０Ｂが示されている）。このようにして、ブロック７２０は摺動して統一されたアセンブリに入り、ポストアセンブリ７９０Ａおよび７９０Ｂを受け、あるいは、統一されたアセンブリ７３０Ａは、ポストアセンブリ７９０Ａおよび７９０Ｂが少なくとも部分的に凹部７２１Ａおよび７２１Ｂ内に入るような形でブロック７２０の上を摺動する。
【００２４】
図８Ａは、本開示によるアセンブリ８００の代替実施形態の分解斜視図である。本実施形態では、ブロック８２０は、以下で説明するように、第１の部分８２０Ａが１つまたは複数の接続ケーブルへの接続のためのポスト８２５１、８２５２で構成され、第２の部分８２０Ｂが雌型ヒューズ部分８３５Ｎ−２〜８３５Ｎを受ける、統一された部品ブロックでもマルチ部品ブロックでもよい。全体として８３０Ａと示される統一されたアセンブリは、バスバー８３１とヒューズ８３０１・・・８３０Ｎとによって規定される。バスバー８３１はヒューズの各々の第１の端子を形成し、第２の端子は８３５１・・・８３５Ｎとして示され、それらの間にヒュージブルエレメント８３６１・・・８３６Ｎがそれぞれ設けられる。端子８３５Ｎ−２・・・８３５Ｎは、凹部８３２１・・・８３２Ｎ中に挿入するための凸型端子として構成することができる。雌型ヒューズ部分８３５Ｎ−２・・・８３５Ｎの各々への接続を保持するために、複数の係止部分８２３１・・・８２３Ｎがブロック部分８２０Ｂの頂部に設けられる。アセンブリ８００の側面図を示す図８Ｂを参照すると、これはより明確に理解できる。凹部８３２１・・・８３２Ｎは、係止部分８２３１・・・８２３Ｎを介して所定の位置に保持された雌型ヒューズ部分８３５Ｎ−２・・・８３５Ｎへの接続を受けるために、ブロック部分８２０Ｂを貫通して反対側まで延びる。
【００２５】
図９Ａ、図９Ｂおよび図９Ｃは、本開示の代替実施形態によるアセンブリ９００の様々な外観を示す。特に、図９Ａは、複数のヒューズアセンブリ９３０１・・・９３０Ｎを収容するブロック９２０の分解斜視図である。ヒューズアセンブリ９３０１・・・９３０Ｎのそれぞれは、第１の端子部分９３１１・・・９３１Ｎおよび第２の端子部分９１０１・・・９１０Ｎを、各第１の端子９３１１・・・９３１Ｎと対応する第２の端子９１０１・・・９１０Ｎとをそれぞれ接続するヒュージブルエレメント（fusible elements）９３６１・・・９３６Ｎと共に備える。各ヒューズアセンブリ９３０１・・・９３０Ｎの第１の端子９３１１・・・９３１Ｎは、ブロック９２０の表面９２０Ａに配置されたバスプレート９３１の部分によって外面を限定される。各第２の端子９１０１・・・９１０Ｎは、ブロック９２０の表面９２０Ｂに配置される。複数の壁すなわちヒューズ分離帯９１５１・・・９１５Ｎが、ヒューズアセンブリ９３０１・・・９３０１Ｎの第２の端子部分９１０１・・・９１０Ｎ同士の間にそれぞれ配置され得る。対応するヒュージブルエレメントのそれぞれからの熱放散を可能とするように、ヒュージブルエレメント９３６１・・・９３６Ｎのそれぞれが、各側壁９１５１・・・９１５Ｎから離して遠くに設けられている。第１のプラグまたはプラグインコネクタ９２５Ａおよび第２のプラグまたはプラグインコネクタ９２５Ｂは、ヒューズアセンブリ９３０３の第１の端子およびヒューズアセンブリ９３０４の第１の端子をそれぞれ形成し、ヒュージブルエレメント９３６３および９３６４からそれぞれ延びている。第１のプラグインコネクタ９２５Ａおよび第２のプラグインコネクタ９２５Ｂは、より低い定格の回路に接続することができる。カバー９３７は、ヒュージブルエレメント９３６１・・・９３６Ｎの上方に配置され、カバー開口部９４１１・・・９４１Ｎそれぞれにはめ合わせるタブ９４０１・・・９４０Ｎを介してブロック９２０に取り付けられる。カバー９３７に加えて、タブ９４０１・・・９４０Ｎの間で画定されるブロック９２０にある凹部は、ヒュージブルエレメント９３６１・・・９３６Ｎをさらに保護するために使用され得る。
【００２６】
図９Ｂは、ブロック９２０上に配置されたカバー９３７を有する完成したアセンブリ９００を示す。複数のポスト９２５１・・・９２５Ｎは、ブロック９２０の表面９２０から延在する。各ポストは、ブロック９２０の部分内に少なくとも部分的に配置されてもよく、対応するヒューズアセンブリ９３０１・・・９３０Ｎのそれぞれの第２の端子９１０１・・・９１０Ｎの穴９１１１・・・９１１Ｎを貫通して延在してもよい。特に、各ポスト９２５１・・・９２５Ｎの端部は、図４Ｂに示されるブロック２２０の凹部２２６Ｎと同様のブロック９２０の凹部内に配置してもよい。これにより、ポストそれぞれがブロック９２０を通って延在する代わりにブロック２２０から各ヒューズアセンブリ９３０１・・・９３９Ｎの端子９１０１・・・９１０Ｎの各穴９１１１・・・９１１Ｎを貫通して延在することが可能となる。
【００２７】
図９Ｃは、バスバー９３１を示すアセンブリ９００の他の斜視図であり、バスバー９３１は、ブロック９２０の全長にわたって延在し、各ヒューズアセンブリ９３０１・・・９３０Ｎの第１の端子を形成する。接続セグメント９２９はブロック９２０からバスバー９３１を延ばしてなるものであり、ヒューズアセンブリを車両内のバッテリー等の電源に接続するのに使用してもよい。
【００２８】
本発明をある実施形態に関して開示してきたが、添付の（１つまたは複数の）請求項で規定される本発明の領域および範囲から逸脱することなく、記載された実施形態に対する数多くの修正、改変および変更が可能である。したがって、しかし、意図される本発明は、記載された実施形態に限定されるものではないが、以下の特許請求の範囲の語法およびその等価物によって定義される全範囲を有することを意図するものである。
【図１】
0005786096.tif 000002
【図２Ａ】
0005786096.tif 000003
【図２Ｂ】
0005786096.tif 000004
【図２Ｃ】
0005786096.tif 000005
【図３Ａ】
0005786096.tif 000006
【図３Ｂ】
0005786096.tif 000007
【図４Ａ】
0005786096.tif 000008
【図４Ｂ】
0005786096.tif 000009
【図４Ｃ】
0005786096.tif 000010
【図４Ｄ】
0005786096.tif 000011
【図５】
0005786096.tif 000012
【図６Ａ】
0005786096.tif 000013
【図６Ｂ】
0005786096.tif 000014
【図７】
0005786096.tif 000015
【図８Ａ】
0005786096.tif 000016
【図８Ｂ】
0005786096.tif 000017
【図９Ａ】
0005786096.tif 000018
【図９Ｂ】
0005786096.tif 000019
【図９Ｃ】
0005786096.tif 000020